【事件の表示】
　平成　４年特許願第１２５００２号「ＬＥＤプリントヘッド及びその製造方法」拒絶査定に対する審判事件［平成　５年１２月　３日出願公開、特開平　５−３１８８２４］について、次のとおり審決する。
【結　論】
　本件審判の請求は、成り立たない。
【理　由】
１．手続の経緯・本願発明
　　
　本願は、平成４年５月１８日の出願であって、その請求項１に係る発明は、平成１４年５月１０日提出の手続補正書により補正された明細書の特許請求の範囲の請求項１に記載された以下のとおりのものと認める（以下、「本願発明」という）。
「プリント基板と、
　前記プリント基板に形成された導電パターンと、
　前記プリント基板上に配置され、ＬＥＤ素子を配置した上面を有するＬＥＤアレイと、
　前記プリント基板上に前記ＬＥＤアレイを固着する固着部材と、
　前記プリント基板の前記固着部材が少ないか又は無い部分に形成され、前記固着部材と異なる反射抑制領域とを有し、
　前記ＬＥＤアレイが前記導電パターン上に前記固着部材で固着されるとき、前記プリント基板に形成された反射抑制領域は前記ＬＥＤアレイの端部側に位置することを特徴とするＬＥＤプリントヘッド。」
　　
２．引用刊行物
　　
　原査定の拒絶の理由において引用された実願昭６３−１１１６８９号（実開平２−３４２５４号）のマイクロフイルム（以下、「引用刊行物」という）には、下記のとおり記載されている。
（Ａ−１）「基板上に、多数の発光部が形成された発光ダイオードアレイ（以下、ＬＥＤアレイ）を複数個整列載置し、その近傍にＬＥＤアレイ駆動素子を配置した光プリンタヘッドにおいて、ＬＥＤアレイの裏面電極が少なくとも発光部の直下部分には形成されておらず、表面が光吸収体より成る基板上に該ＬＥＤアレイを光吸収性導電接着剤によって整列固着したことを特徴とする光プリンタヘッド。」（第１頁、実用新案登録請求の範囲）
（Ａ−２）「第１図は、本考案による光プリンタヘッドの斜視図、…図中符号１はＬＥＤアレイ１で、…基板２上の共通電極８に光吸収性導電接着剤３により整列固着されている。」（第４頁５〜１０行）
（Ａ−３）「ＬＥＤアレイ１のＰ層から発した光は、裏面を透過し、…接着剤３により吸収され、反射及び拡散を防ぐことができる。またＬＥＤアレイ結晶材料中を透過して外部に漏洩した光のＬＥＤアレイ接着部以外の該導電接着剤表面での反射・拡散をも防止することができる。さらには基板表面も光吸収体より成るため、ＬＥＤアレイ１の発光部７以外からの反射光及び散乱光により意図しない感光体の露光を完全に防ぐことが可能となる。」（第４頁末行〜第５頁１０行）
（Ａ−４）「本考案の光プリンタヘッドに発光信号を入力しＬＥＤアレイを発光させた場合、発光部以外からの光の反射・散乱がなくなるため、感光ドラム上に形成される露光像は、意図しない反射光及び散乱光による影響が皆無となり、にじみやぼけがなくなり、鮮明な印字を行うことができるのである。」（第５頁１８行〜第６頁４行）
　また、図面第１図からは、光吸収性導電接着剤３が存在する部分の周囲には、基板２の表面が露出されていること、及び、ＬＥＤアレイ１の上面に発光部７が配置されていることが看取できる。
　　
　したがって、これら（Ａ−１）〜（Ａ−４）の記載を含む明細書及び図面の記載からみて、引用刊行物には、次のような発明（以下、「引用発明」という）が記載されていると認められる。
「基板２と、
　前記基板２に形成された共通電極８と、
　前記基板２上に配置され、発光部７を配置した上面を有するＬＥＤアレイ１と、
　前記基板２上に前記ＬＥＤアレイ１を固着する光吸収性導電接着剤３と、
　前記基板２の前記光吸収性導電接着剤３が無い部分には光吸収体より成る基板表面が露出され、
　前記ＬＥＤアレイ１が前記共通電極８上に前記光吸収性導電接着剤３で固着されるとき、前記光吸収体より成る基板表面は前記ＬＥＤアレイ１の周囲に位置することを特徴とするＬＥＤプリントヘッド。」
　　
３．対比・判断
　　
　そこで、本願発明（前者）と引用発明（後者）とを比較すると、後者の「基板２」、「ＬＥＤアレイ１」、及び、「光吸収性導電接着剤３」は、前者の「プリント基板」、「ＬＥＤアレイ」、及び、「固着部材」に相当する。
　また、後者における「ＬＥＤアレイ１」が、ＬＥＤ素子を有していることは自明であり、さらに、後者における「ＬＥＤアレイ１」の発光部が設けられているのは上面であるから、後者における「ＬＥＤアレイ１」は、「ＬＥＤ素子を配置した上面を有するＬＥＤアレイ」ということができる。
　そして、後者における「光吸収体より成る基板表面」は、光の反射を抑制するものであって、光吸収性導電接着剤３とは異なるものであり、かつ、基板２に形成されているものであるから、「反射抑制領域」ということができる。
　加えて、上記（Ａ−２）において示したとおり、後者における「基板２」には、共通電極８が形成され、その共通電極８に光吸収性導電接着剤３が設けられており、基板２の他の部分には、共通電極８や光吸収性導電接着剤３は設けられておらず、基板２の表面が露出していることは、図面第１図からも看取することができるものであり、また、前者における「反射抑制領域」は、ＬＥＤアレイの端部側に位置するものであるから、前者の「反射抑制領域」も、ＬＥＤアレイの周囲に設けられているということができる。
　さらに、後者における「ＬＥＤアレイ１」は、基板２上の共通電極８に、光吸収性導電接着剤３により整列固着されるものであるから、基板２上に固着されているということができる。
　そうすると、両者は
「プリント基板と、
　前記プリント基板上に配置され、ＬＥＤ素子を配置した上面を有するＬＥＤアレイと、
　前記プリント基板上に前記ＬＥＤアレイを固着する固着部材と、
　前記プリント基板の前記固着部材が無い部分に形成され、前記固着部材と異なる反射抑制領域とを有し、
　前記ＬＥＤアレイが前記プリント基板上に前記固着部材で固着されるとき、前記プリント基板に形成された反射抑制領域は前記ＬＥＤアレイの周囲に位置することを特徴とするＬＥＤプリントヘッド。」
の点で一致し、
（イ）前者において、プリント基板に導電パターンが形成され、その導電パターン上にＬＥＤアレイが固着されるのに対し、後者においては、プリント基板には共通電極が形成され、その共通電極上にＬＥＤアレイが固着されるものである点、
（ロ）前者におけるプリント基板に形成された反射抑制領域はＬＥＤアレイの周囲のうちのＬＥＤアレイの端部側に位置するのに対し、後者におけるプリント基板に形成された反射抑制領域はＬＥＤアレイの周囲の、プリント基板上の固着部材の無い部分に位置する点、
において相違する。
　　
　そこで、上記相違点（イ）及び（ロ）について検討する。
　　
相違点（イ）について
　前者における導電パターンも、後者における共通電極も、ともに、プリント基板上に形成される電極として用いられる導電性を有する部材である点に相違はない。
　ここで、本願発明の明細書及び図面の記載によると、前者における導電パターンが共通電極であることは明らかである。
　そして、共通電極をプリント基板上に形成するにあたり、印刷、蒸着、フォトエッチングなどによりパターン状に形成することも、導電性を有する部材を切断してプリント基板上に接着することにより形成することも、いずれも周知の事項であるから、前者の導電パターンと後者の共通電極の相違は、単なる呼称上の相違にすぎない。
　すなわち、相違点（イ）は、実質的な相違点ではない。
　　
相違点（ロ）について
　前者におけるプリント基板に形成された反射抑制領域はＬＥＤアレイの端部側に位置するものであるが、そのように反射抑制領域を形成することによって得られる効果は、ＬＥＤアレイからの洩れ光が固着部材の無い部分のプリント基板から反射するのを抑えることができ、ＬＥＤ素子の発光量が見掛け上高くなることを防止することができるというものである。
　また、後者におけるプリント基板に形成された反射抑制領域はＬＥＤアレイの周囲の、プリント基板上の固着部材の無い部分に位置するものであって、ＬＥＤアレイの端部側を含む、ＬＥＤアレイの周囲全体に設けられているものであるから、やはり前者における反射抑制領域と同様に、ＬＥＤアレイからの洩れ光が固着部材の無い部分のプリント基板から反射するのを抑えることができ、ＬＥＤ素子の発光量が見掛け上高くなることを防止することができるものである。
　すなわち、前者における反射抑制領域も、後者における反射抑制領域も、ともにＬＥＤアレイからの洩れ光がＬＥＤアレイの端部側を含む、固着部材の無い部分のプリント基板から反射するのを抑える効果を奏するものであることにおいて相違はない。
　そして、そのような反射抑制領域を設ける位置をプリント基板上のＬＥＤアレイの端部側とするか、ＬＥＤアレイの端部側をも含む、プリント基板上の固着部材の無い部分とするかは、発光部以外からの洩れ光の反射・散乱をどの程度防止する必要があるかを考慮の上、当業者が必要に応じて適宜選択して採用すれば足りる事項にすぎない。
　すなわち、相違点（ロ）は当業者が必要に応じて適宜なし得た設計の変更である。
　　
　そして、本願発明の作用効果も、引用発明から当業者が容易に予測できる範囲のものである。
　　
４． むすび
　　
　以上のとおり、本願発明は、引用刊行物に記載された引用発明に基づいて、当業者が容易に発明をすることができたものであるから、特許法第２９条第２項の規定により特許を受けることができない。
　よって、結論のとおり審決する。